Podtech/llm-jp-corpus-v4-ja_patent huggingface dataset:
【手続補正書】
【提出日】平成22年1月20日(2010.1.20)
【手続補正１】
【補正対象書類名】特許請求の範囲
【補正対象項目名】全文
【補正方法】変更
【補正の内容】
【特許請求の範囲】
【請求項１】
フレーム（１１）に亘設した回転軸（１３）に、複数のカッタ（１７）を放射状に取り付け、このカッタ（１７）の回転軌跡に沿って固定刃（２６）を、上記フレームから立ち上げた保持体（２１，２２，２３）を介して配設し、上記カッタ（１７）が上向きに回転する側に投入口（２８）を設けてなる破袋機。
【請求項２】
上記カッタ（１７）は回転方向に対して揺動可能になり、上記固定刃（２６）は回転するカッタ（１７）に対して向き合う方向に鉤状に曲がり、かつ、千鳥足状に配置した固定刃（２６）とカッタ（１７）とが交互に行き交うようにし、上記カッタ（１７）および固定刃（２６）の素材を板バネ材としてなる請求項１に記載の破袋機。
【請求項３】
上記回転軸（１３）に取り付けたカッタ（１７）間に紐状物巻き付き防止棒（１９）を亘設してなる請求項１または２に記載の破袋機。
【請求項４】
上記カッタ（１７）を、回転方向に対して揺動可能になる機構は、回転軸（１３）に設けられたフランジ（１４）にカッタホルダ（１６）が揺動可能に軸支され、上記フランジ（１４）に設けられた植え込みピン（１５）とカッタホルダ（１６）との間で揺動するようにしてなる請求項１乃至３のいずれかに記載の破袋機。
【請求項５】
上記回転軸は、破袋機に過剰な負荷が掛かって停止したとき、または設定時間連続運転されたのち、設定された時間帯で逆転し、その後正回転するようにしてなる請求項１乃至４のいずれかに記載の破袋機。
【請求項６】
上記破袋機１０のゴミ袋投入口２８の下方で、上記カッタ１７が上向きに回転する側の下側に、一定間隔をあけてスリット４５を設けたゴミ・ゴミ袋誘導板４４ａを配置し、このゴミ・ゴミ袋誘導板４４ａの後方に回転軸３１を亘設し、この回転軸３１に上記スリット４５の位置に合わせてゴミ袋掻き出し鉤３８を取り付けてなる請求項１乃至５のいずれかに記載の破袋機。
【請求項７】
上記ゴミ袋掻き出し鉤３８は、回転軸３１の周囲に設けた取り付け台３３と、この取り付け台３３に設けたピンとトーションスプリング４０を介して回転方向に付勢され、かつ、揺動可能に取り付けてなる請求項１乃至６のいずれかに記載の破袋機。
【請求項８】
上記回転軸と並行に巻き付き防止棒４３を亘設してなる請求項１乃至７いずれかに記載の破袋機。
【請求項９】
フランジ（１４ａ，１８）に亘設したステー（１９ａ）に板バネ材を「への字状」に折り曲げたゴミ袋跳ね上げ部材（Ｋ）を、その自由端が上記ステー１９ｓの内側に位置するように片持ち状態で取り付けてなる請求項１乃至８のいずれかに記載の破袋機。
【手続補正書】
【提出日】平成22年7月28日(2010.7.28)
【手続補正１】
【補正対象書類名】特許請求の範囲
【補正対象項目名】全文
【補正方法】変更
【補正の内容】
【特許請求の範囲】
【請求項１】
測定データの記録がｋ空間内の複数のｋ空間行（１０３）の走査によって行なわれ、複数のｋ空間行（１０３）が複数の部分記録（Ａ，Ｂ，Ｃ，Ｄ，Ｅ）に分配され、各部分記録（Ａ，Ｂ，Ｃ，Ｄ，Ｅ）において割り当てられたｋ空間行（１０３）の走査が行なわれる３次元磁気共鳴画像化用測定シーケンスにおいて、
割り当てが次の割り当て規則、すなわち、
ｋ空間中心（１０５）に対するそれぞれのｋ空間行の距離（１０７）を表わす距離尺度により各ｋ空間行（１０３）が評価されること、
距離尺度に応じた順序で、走査すべきｋ空間行（１０３）が配置されること、
その順序で配置されたｋ空間行（１０３）が複数のグループにグループ分けされ、それぞれ複数の連続するｋ空間行（１０３）が１つのグループに統合されること、
各グループにおいてこのグループに統合されたｋ空間行が異なる部分記録に分配されることによって、ｋ空間行（１０３）が部分記録（Ａ，Ｂ，Ｃ，Ｄ，Ｅ）に割り当てられること、
に当てはまるように、ｋ空間行が部分記録（Ａ，Ｂ，Ｃ，Ｄ，Ｅ）に割り当てられていることを特徴とする３次元磁気共鳴画像化用測定シーケンス。
【請求項２】
距離尺度に応じた順序で配置されたｋ空間行（１０３）のグループ分けの際に、それぞれＳ個の連続するｋ空間行（１０３）が１つのグループに統合され、Ｓが部分記録（Ａ，Ｂ，Ｃ，Ｄ，Ｅ）の個数を指定し、
ｋ空間行（１０３）をＳ個の部分記録（Ａ，Ｂ，Ｃ，Ｄ，Ｅ）に割り当てる際に、各グループにおいてＳ個の連続するｋ空間行（１０３）がＳ個の部分記録（Ａ，Ｂ，Ｃ，Ｄ，Ｅ）に分配されることを特徴とする請求項１記載の測定シーケンス。
【請求項３】
ｋ空間行（１０３）が交差しないようにｋ空間内に配置されていることを特徴とする請求項１又は２記載の測定シーケンス。
【請求項４】
ｋ空間行（１０３）が読み出し方向に平行に配置されていることを特徴とする請求項１乃至３の１つに記載の測定シーケンス。
【請求項５】
ｋ空間行（１０３）が３次元デカルト格子上にあることを特徴とする請求項１乃至４の１つに記載の測定シーケンス。
【請求項６】
走査すべきｋ空間行（１０３）の配置が距離尺度に依存して上昇する順序で行なわれることを特徴とする請求項１乃至５の１つに記載の測定シーケンス。
【請求項７】
走査すべきｋ空間行（１０３）の配置が、ｋ空間内のｋ空間行（１０３）の方位角位置に応じた順序で変更されることを特徴とする請求項１乃至６の１つに記載の測定シーケンス。
【請求項８】
各部分記録（Ａ，Ｂ，Ｃ，Ｄ，Ｅ）内において、割り当てられたｋ空間行（１０３）の走査順序が、割り当てられたｋ空間行（１０３）の距離尺度に応じて決定されることを特徴とする請求項１乃至７の１つに記載の測定シーケンス。
【請求項９】
各部分記録（Ａ，Ｂ，Ｃ，Ｄ，Ｅ）内において、割り当てられたｋ空間行（１０３）の走査順序が、割り当てられたｋ空間行（１０３）の走査中に変化する画像コントラストに、中心のｋ空間行（１０３）の走査が最強の画像コントラストの時点で行なわれるように合わせられることを特徴とする請求項８記載の測定シーケンス。
【請求項１０】
ｋ空間行（１０３）の走査がスピンエコーおよび／またはグラジエントエコーに基づいて行なわれることを特徴とする請求項１乃至９の１つに記載の測定シーケンス。
【請求項１１】
ｋ空間行（１０３）の走査のために、励起パルスの後に複数のｋ空間行（１０３）を走査する複数のエコーが続いて生じるマルチエコー技術が使用されることを特徴とする請求項１０記載の測定シーケンス。
【請求項１２】
各部分記録の前にそれぞれコントラスト準備が行なわれることを特徴とする請求項１０又は１１記載の測定シーケンス。
【請求項１３】
距離尺度がｋ空間中心に対するｋ空間行のユークリッド距離基準であることを特徴とする請求項１乃至１２の１つに記載の測定シーケンス。
【請求項１４】
距離尺度によるｋ空間行（１０３）の評価の際に、走査すべきｋ空間の大きさに基づくｋ空間の基準化が行なわれることを特徴とする請求項１乃至１３の１つに記載の測定シーケンス。
【請求項１５】
請求項１乃至１２の１つに記載の測定シーケンスにより測定データを記録するように構成されている磁気共鳴装置。
【手続補正書】
【提出日】平成22年8月9日(2010.8.9)
【手続補正１】
【補正対象書類名】特許請求の範囲
【補正対象項目名】全文
【補正方法】変更
【補正の内容】
【特許請求の範囲】
【請求項１】
樹脂またはゴムからなる被覆層を有し、該被覆層中にマイクロバルーンを含有することを特徴とする人工芝充填用被覆珪砂。
【請求項２】
前記樹脂またはゴムが、硬化後の２０％引張り応力が０．１ＭＰａ〜１．２ＭＰａである樹脂またはゴムであることを特徴とする請求項１に記載の人工芝充填用被覆珪砂。
【請求項３】
前記マイクロバルーンの平均粒径が２０〜７０μｍであることを特徴とする請求項１または２に記載の人工芝充填用被覆珪砂。
【手続補正２】
【補正対象書類名】明細書
【補正対象項目名】００１２
【補正方法】変更
【補正の内容】
【００１２】
即ち、本発明の被覆珪砂は、樹脂またはゴムからなる被覆層を有し、該被覆層中にマイクロバルーンを含有することを特徴とする人工芝充填用被覆珪砂である。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
シャフト（５）とは異なる少なくとも１つの好ましい方向（８１）への曲げを補助する構造体（３）を有する曲げ部分が設けられた末端（７）、及び前記曲げ部分を好ましい角度に曲げるために前記曲げ部分を手動制御するための操作装置が設けられた近端（６）を有するシャフト（５）と、前記曲げ部分を作動させるための張力要素（４）とを備える医療器具用の挿入補助具において、
前記シャフト（５）は、前記器具の末端（７）の領域まで伸張した外側管要素（２）と、該外側管要素（２）内で軸方向に移動可能に支持され、前記末端（７）領域で前記外側管要素（２）から突出した内側管要素（１）とを備え、
前記張力要素（４）が前記一方の管要素（２）に蝶番のように取り付けられ、前記他の管要素（１）はその末端に前記曲げ部分を有し、前記張力要素（４）は、前記曲げ部分の端部に連結され、張力及び／又は圧縮力を前記曲げ部分の末端へ伝達するために、前記構造体（３）に設けられた案内穴を通して、前記一方の管要素（２）の末端へ向かって案内されることを特徴とする、医療器具用の挿入補助具。
【請求項２】
前記曲げ部分が前記内側管要素上に配置される一方で、前記張力要素が前記曲げ部分を作動させるために前記外側管要素に蝶番のように取り付けられることを特徴とする請求項１に記載の挿入補助具。
【請求項３】
前記曲げ部分は、前記外側管要素の末端を越えて軸方向に突出することを特徴とする請求項２に記載の挿入補助具。
【請求項４】
前記曲げ部分の前記構造体は、前記一方の管要素の壁において互いに長手方向に離間された多数の外側ノッチ又は隙間から成ることを特徴とする請求項１〜３のいずれか一項に記載の挿入補助具。
【請求項５】
前記構造体は、互いに長手方向に離間された多数の管部品又はリンクによって形成され、これらは、管部品又はリンクの連続鎖を形成できるように、蝶番によって互いに及び前記一方の管に連結されることを特徴とする請求項１〜４のいずれか一項に記載の挿入補助具。
【請求項６】
前記張力要素は、前記曲げ部分の末端に分散して連結され、張力及び／又は圧縮力を前記曲げ部分の末端へ伝達するために、前記管部品又はリンクに形成された案内穴を通して、前記他の管要素の末端へ向かって後方に案内されることを特徴とする請求項１〜５のいずれか一項に記載の挿入補助具。
【請求項７】
前記２つの管要素の相対的な変位の度合いに応じて前記曲げ部分を好ましい角度に曲げるための、前記２つの管要素を手動で相対的に変位させる操作装置を特徴とする請求項１〜６のいずれか一項に記載の挿入補助具。
【請求項８】
前記操作装置又は前記シャフトは、前記曲げ部分の特定の角度位置を維持するための固定手段を有することを特徴とする請求項７に記載の挿入補助具。
【請求項９】
２つのトリガハンドル又はグリップを備え、それらのそれぞれの一端は、前記２つの管要素の軸方向における相対的な変位のために、前記内側管要素の末端および外側管要素の末端のうちの一方に連結するのに適合化された、請求項１〜８のいずれか一項に記載の挿入補助具の曲げ部分を作動させるための操作装置。
【請求項１０】
前記操作装置の現在の作動位置、ひいては前記曲げ部分の角度位置を固定するための固定装置を特徴とする請求項９に記載の操作装置。
【請求項１１】
前記操作装置の初期位置における前記２つの管要素の初期相対位置を調整するためのゼロ点調整を特徴とする請求項９又は１０に記載の操作装置。
【請求項１２】
前記医療器具を軸方向に変位させるため、前記挿入補助具内に位置された又は該挿入補助具に取り付けられた医療器具に連結するのに適合化された、トリガハンドル又はグリップを備えたことを特徴とする、請求項１〜１１のいずれか一項に記載の操作装置。
【請求項１３】
前記操作装置の現在の作動位置、ひいては前記医療器具の位置を固定するための固定装置を特徴とする請求項１２に記載の操作装置。
【請求項１４】
前記操作装置の初期位置における前記医療器具の初期位置を調整するためのゼロ点調整を特徴とする請求項１２又は１３に記載の操作装置。
【請求項１５】
前記医療器具の回転のために、前記挿入補助具内に位置された又は該挿入補助具に取り付けられた医療器具に連結するのに適合化された、回転輪又はグリップを備えたことを特徴とする、請求項１〜１４のいずれか一項に記載の操作装置。
【請求項１６】
前記操作装置の現在の作動位置、ひいては前記医療器具の向きを固定するための固定装置を特徴とする請求項１５に記載の操作装置。
【請求項１７】
前記操作装置の初期位置における前記医療器具の初期の向きを調整するためのゼロ点調整を特徴とする請求項１５又は１６に記載の操作装置。
【請求項１８】
前記挿入補助具及び／又は光学システムの摺動受け入れのための１つ又は複数の管シャフトと、オーバーチューブの少なくとも末端を該オーバーチューブの長手方向軸回りに捻るためのねじれ力伝達機構に連結された末端部と、を有するホース状の管要素を特徴とする、好ましくは請求項１〜１７のいずれか一項に記載の１つ又は複数の挿入補助具を導入するためのオーバーチューブ。
【請求項１９】
前記ねじれ力伝達機構が、少なくとも１本の管シャフトに、軸方向に移動可能に結合されていることを特徴とする請求項１８に記載のオーバーチューブ。
【請求項２０】
流体が充填されることにより前記オーバーチューブの断面を局所的に拡大するようにした流体チャンバを備えることを特徴とする請求項１８又は１９に記載のオーバーチューブ。
【請求項２１】
前記管シャフトは、容易に変形可能な材料、好ましくは合成膜から作られ、これにより前記オーバーチューブの断面の折り畳みが可能になることを特徴とする請求項１８〜２０のいずれか一項に記載のオーバーチューブ。
【請求項２２】
流体が充填されることにより前記オーバーチューブの好ましい断面形状の調整を補助する流体チャンバシステムを特徴とする請求項２１に記載のオーバーチューブ。
【手続補正書】
【提出日】平成21年9月11日(2009.9.11)
【手続補正１】
【補正対象書類名】特許請求の範囲
【補正対象項目名】請求項４
【補正方法】変更
【補正の内容】
【請求項４】
請求項１ないし３記載の構成に加えて、送り・戻し機構の被包装物移動方向上流側に、被包装物を投入する投入口を形成するとともに投入口から投入された被包装物のまわりを１枚の樹脂フィルムシートで覆うように樹脂フィルムシートを成形する成形部を有することを特徴とする請求項１ないし３いずれかに記載の包装装置。
【手続補正２】
【補正対象書類名】明細書
【補正対象項目名】０００９
【補正方法】変更
【補正の内容】
【０００９】
被包装物２を成形板２３内に上方から投入すると、被包装物２は筒状に成形された樹脂フィルムシート３の内側に挿入される。樹脂フィルムシート３の下端は前回の包装動作で既に熱溶着されて閉じられて底部を形成しているので、図９（ａ）に示すように被包装物２の前端がこの底部に達して停止する。ここで、被包装物２の前端が第１センサ４６によって検知されると縦シールヒータ２５が樹脂フィルムシート３に押し当てられ（図９（ｂ））、縦シール部を形成する。次に送り機構２３１によって被包装物２を樹脂フィルムシート３とともに下方へ送り出し、（図９（ｃ））、第２センサ４７によって被包装物２の後端が検知されると送り出しがいったん停止して、横シール手段３９により被包装物２の後端側において熱溶着が行われる（図９（ｄ））。その後送り機構２３１によって、熱溶着された部分の上方の樹脂フィルムシート３を上方に引き、熱溶着部で樹脂フィルムシート３を切断する（図９（ｅ））。樹脂フィルムシート３に包装された被包装物２は下方に落下する。このような包装装置２０１は、本願出願人が既に出願した特許文献１に示されている。
【特許文献１】特願２００５−２５１２１２（図５，６，１０，１１ほか）
【手続補正３】
【補正対象書類名】明細書
【補正対象項目名】００１０
【補正方法】変更
【補正の内容】
【００１０】
しかしこの背景技術の包装装置２０１では、先端が溶着されて袋状となった樹脂フィルムシートに被包装物を投入し、被包装物の移動によって樹脂フィルムシート３を引き出しながら包装するので、樹脂フィルムシート３はその引き出し抵抗により、弛みが無い状態になっている。さらに、横シールヒータの上流側で送り機構３１により樹脂フィルムシート３が挟持されている。したがって、熱溶着時に樹脂フィルムシート３に横シールヒータ４０を押し当て、樹脂フィルムシート３が横シールヒータ４０の先端に押されてヒータ受け４９側に移動したとき、横シールヒータ４０の被包装物移動方向上流側（以下単に上流側という）で樹脂フィルムシート３にテンションがかかる。したがって、樹脂フィルムシート３が薄い場合や溶融温度の低いものである場合に、横シールヒータ４０の上流側の部分の熱溶着が十分に行われず、切断時に溶けたままの樹脂が糸を引いたり、切断後のフィルム先端のシール不良を招いたりすることがあった。横シールヒータ４０での溶着時に送り機構３１による挟持を解除しても、送り機構３１よりも上流側のフィルム供給源から樹脂フィルムシートを引き出すことによる引き出し抵抗によってテンションがかかるので、同様の現象が発生することがあった。
【手続補正４】
【補正対象書類名】明細書
【補正対象項目名】００１５
【補正方法】変更
【補正の内容】
【００１５】
本発明の第４の構成は、第１ないし第３いずれかの構成に加えて、送り・戻し機構の上流側に、被包装物を投入する投入口を形成するとともに投入口から投入された被包装物のまわりを１枚の樹脂フィルムシートで覆うように樹脂フィルムシートを成形する成形部を有することを特徴とする包装装置である。
【手続補正５】
【補正対象書類名】明細書
【補正対象項目名】００２３
【補正方法】変更
【補正の内容】
【００２３】
フィルム成形板２３の下方には、縦シール手段２４が設けられている。この縦シール手段２４には、上下方向を長手方向とした板状の縦シールヒータ２５が設けられている。この縦シールヒータ２５は、幅方向に長く形成された取り付け板２６に取り付けられていて、この取り付け板２６の左右両端において、駆動ロッド２７の一端に固定されている。この駆動ロッド２７はロッド受２８に支持され、その他端側はクランク機構２９に接続されている。このクランク機構２９を駆動軸３０によって駆動することにより、駆動ロッド２７を図２に示す矢印Ａ方向に往復動させ、縦シールヒータ２５を樹脂フィルムシート３に接触または離間するようになっている。駆動軸３０にはモータＭ１から駆動力が与えられる。
【手続補正６】
【補正対象書類名】明細書
【補正対象項目名】００２４
【補正方法】変更
【補正の内容】
【００２４】
縦シール手段２４の下方には、送り・戻し機構３１が設けられている。この送り・戻し機構３１には、モータＭ２から駆動力が与えられる駆動ローラ３２と、この駆動ローラ３２に接離可能に設けられた押付け従動ローラ３３が設けられている。押付け従動ローラ３３は軸３４に回転自在に支持されており、この軸３４はその左右両端において駆動ロッド３５の一端に固定されている。この駆動ロッド３５はロッド受３６に支持され、その他端側はクランク機構３７に接続されている。このクランク機構３７を駆動軸３８によって駆動することにより、駆動ロッド３５を図２に示す矢印Ｂ方向に往復動させる。この往復動により押付け従動ローラ３３が駆動ローラ３２に近づく方向に移動すると、押付け従動ローラ３３と駆動ローラ３２とによって、被包装物２をこれを包む樹脂フィルムシート３ごと挟持して上方又は下方に搬送する。駆動軸３８にはモータＭ３から駆動力が与えられる。
【手続補正７】
【補正対象書類名】明細書
【補正対象項目名】００２５
【補正方法】変更
【補正の内容】
【００２５】
送り・戻し機構３１の下方には、横シール手段３９が設けられている。この横シール手段３９には、筒状の樹脂フィルムシート３の全幅よりも長い横シールヒータ４０が設けられている。この横シールヒータ４０は、幅方向に長く形成された取り付け板４１に取り付けられていて、この取り付け板４１の左右両端において、一対の側板４２に固定されている。この側板４２を、スライド機構およびクランク機構４４によって図２に示す矢印Ｃ方向に往復動させることにより、横シールヒータ４０を樹脂フィルムシート３に接触または離間するようになっている。クランク機構４４は駆動軸４５によって駆動され、この駆動軸４５にはモータＭ４から駆動力が与えられる。この横シールヒータ４０に対して樹脂フィルムシート３の通路を挟んで対向してヒータ受け４９が設けられている。横シールヒータ４０とヒータ受け４９とで樹脂フィルムシート３を挟んで熱溶着させる。
【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
平面内で渦巻状に形成された空芯コイルの上面および下面の少なくともいずれかに、長径方向と短径方向とを有する扁平状または針状の軟磁性金属粉末を樹脂材料中に分散させてなる異方性複合磁性シートが積層された可撓性のコイル部品であって、
前記軟磁性金属粉末の長径方向が、前記空芯コイルの面内方向を向いていることを特徴とするコイル部品。
【請求項２】
空芯コイルの中芯部および外周部の少なくともいずれかに、等方形状の軟磁性金属粉末を樹脂材料中に分散させてなる等方性複合磁性材料が充填されていることを特徴とする請求項１に記載のコイル部品。
【請求項３】
空芯コイルの中芯部および外周部の少なくともいずれかに、長径方向と短径方向とを有する扁平状または針状の軟磁性金属粉末を樹脂材料中に分散させてなる異方性複合磁性材料が充填され、
前記異方性複合磁性材料に分散した軟磁性金属粉末の長径方向が、前記空芯コイルの面直方向を向いていることを特徴とする請求項１に記載のコイル部品。
【請求項４】
等方性複合磁性材料が充填されていない空芯コイルの中芯部または外周部に、長径方向と短径方向とを有する扁平状または針状の軟磁性金属粉末を樹脂材料中に分散させてなる異方性複合磁性材料が充填されていることを特徴とする請求項２に記載のコイル部品。
【請求項５】
長径方向と短径方向とを有する扁平状または針状の軟磁性金属粉末を樹脂材料中に分散させてなる異方性複合磁性材料が充填されていない空芯コイルの中芯部または外周部に、異方性金属粉末が樹脂材料中で垂直配向した状態で分散している異方性複合磁性材料が充填されていることを特徴とする請求項３に記載のコイル部品。
【請求項６】
空芯コイルの中芯部および外周部の少なくともいずれかに、異方性金属粉末が樹脂材料中で垂直配向した状態で分散している異方性複合磁性材料が充填されていることを特徴とする請求項１に記載のコイル部品。
【請求項７】
異方性金属粉末が樹脂材料中で垂直配向した状態で分散している異方性複合磁性材料が充填されていない空芯コイルの中芯部または外周部に、等方形状の軟磁性金属粉末を樹脂材料中に分散させてなる等方性複合磁性材料が充填されていることを特徴とする請求項６に記載のコイル部品。
【請求項８】
空芯コイルの中芯部および外周部に、長径方向と短径方向とを有する扁平状または針状の軟磁性金属粉末を樹脂材料中に分散させてなる異方性複合材料が充填されていることを特徴とする請求項３に記載のコイル部品。
【請求項９】
空芯コイルの中芯部および外周部に、異方性金属粉末が樹脂材料中で垂直配向した状態で分散している異方性複合磁性材料が充填されていることを特徴とする請求項６に記載のコイル部品。
【請求項１０】
空芯コイルの平均巻径が、該空芯コイルの厚さよりも大きいことを特徴とする請求項１〜９のいずれか１項に記載のコイル部品。
【請求項１１】
空芯コイルが、樹脂フィルム上に導体パターンを形成したフィルム型コイルである請求項１〜１０のいずれか１項に記載のコイル部品。
【請求項１２】
前記樹脂フィルムは、前記空芯コイルの中芯部および外周部に対応する位置が切欠形成されている請求項１１に記載のコイル部品。
【手続補正２】
【補正対象書類名】明細書
【補正対象項目名】０００６
【補正方法】変更
【補正の内容】
【０００６】
すなわち本発明のコイル部品は、
（１）平面内で渦巻状に形成された空芯コイルの上面および下面の少なくともいずれかに、長径方向と短径方向とを有する扁平状または針状の軟磁性金属粉末を樹脂材料中に分散させてなる異方性複合磁性シートが積層された可撓性のコイル部品であって、前記軟磁性金属粉末の長径方向が、前記空芯コイルの面内方向を向いていることを特徴とするコイル部品；
（２）空芯コイルの中芯部および外周部の少なくともいずれかに、等方形状の軟磁性金属粉末を樹脂材料中に分散させてなる等方性複合磁性材料が充填されていることを特徴とする上記（１）に記載のコイル部品；
（３）空芯コイルの中芯部および外周部の少なくともいずれかに、長径方向と短径方向とを有する扁平状または針状の軟磁性金属粉末を樹脂材料中に分散させてなる異方性複合磁性材料が充填され、前記異方性複合磁性材料に分散した軟磁性金属粉末の長径方向が、前記空芯コイルの面直方向を向いていることを特徴とする上記（１）に記載のコイル部品；
（４）等方性複合磁性材料が充填されていない空芯コイルの中芯部または外周部に、長径方向と短径方向とを有する扁平状または針状の軟磁性金属粉末を樹脂材料中に分散させてなる異方性複合磁性材料が充填されていることを特徴とする上記（２）に記載のコイル部品；
（５）長径方向と短径方向とを有する扁平状または針状の軟磁性金属粉末を樹脂材料中に分散させてなる異方性複合磁性材料が充填されていない空芯コイルの中芯部または外周部に、異方性金属粉末が樹脂材料中で垂直配向した状態で分散している異方性複合磁性材料が充填されていることを特徴とする上記（３）に記載のコイル部品；
（６）空芯コイルの中芯部および外周部の少なくともいずれかに、異方性金属粉末が樹脂材料中で垂直配向した状態で分散している異方性複合磁性材料が充填されていることを特徴とする上記（１）に記載のコイル部品；
（７）異方性金属粉末が樹脂材料中で垂直配向した状態で分散している異方性複合磁性材料が充填されていない空芯コイルの中芯部または外周部に、等方形状の軟磁性金属粉末を樹脂材料中に分散させてなる等方性複合磁性材料が充填されていることを特徴とする特徴とする上記（６）に記載のコイル部品；
（８）空芯コイルの中芯部および外周部に、長径方向と短径方向とを有する扁平状または針状の軟磁性金属粉末を樹脂材料中に分散させてなる異方性複合材料が充填されていることを特徴とする上記（３）に記載のコイル部品；
（９）空芯コイルの中芯部および外周部に、異方性金属粉末が樹脂材料中で垂直配向した状態で分散している異方性複合磁性材料が充填されていることを特徴とする上記（６）に記載のコイル部品；
（１０）空芯コイルの平均巻径が、該空芯コイルの厚さよりも大きいことを特徴とする上記（１）〜（９）のいずれか１つに記載のコイル部品；
（１１）空芯コイルが、樹脂フィルム上に導体パターンを形成したフィルム型コイルである上記（１）〜（１０）のいずれか１つに記載のコイル部品；
（１２）前記樹脂フィルムは、前記空芯コイルの中芯部および外周部に対応する位置が切欠形成されている上記（１１）に記載のコイル部品；
を要旨とする。
【手続補正３】
【補正対象書類名】明細書
【補正対象項目名】０００７
【補正方法】変更
【補正の内容】
【０００７】
また本発明においては、さらに具体的な態様として、前記異方性複合磁性シートが、前記空芯コイルの上面および下面の両面に積層されている上記（１）から（１２）のいずれかに記載のコイル部品によっても上記本発明の目的を達成することができる。
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
シート状の記録媒体が搬送経路内を搬送されていく挙動をシミュレーションすることで、前記搬送経路の設計を支援する設計支援プログラムであって、
コンピュータ援用設計で作成した２次元断面モデルを読み込む断面形状入力手順と、
前記記録媒体が通過する軌跡情報を保持する媒体軌跡情報保持手順と、
前記記録媒体の軌跡近傍の部材を認識する部材認識手順と、
認識された前記部材以外を接触計算対象から外した新たなシミュレーションモデルを作成する搬送経路モデル作成手順とを、コンピュータに実行させるための設計支援プログラム。
【請求項２】
前記媒体軌跡情報保持手順において、前記コンピュータ援用設計で作成した主断面における前記搬送経路の搬送ローラ対を検索し、該搬送ローラ同士が接触する点の座標情報を取得し、該座標情報以外に任意の座標に対する定義があれば、該定義された座標を結んだ曲線を前記記録媒体の軌跡情報として定義することを特徴とする請求項１に記載の設計支援プログラム。
【請求項３】
前記部材認識手順において、前記記録媒体の軌跡を中心に、任意の距離だけ離れた平行線に挟まれる領域を抽出領域とし、該抽出領域内にある部材の情報を抽出することを特徴とする請求項１又は２に記載の設計支援プログラム。
【請求項４】
前記部材認識手順において、ユーザー指示により定義された前記記録媒体の軌跡をサンプリングし、そのサンプリング点に対する法線ベクトルを算出し、前記法線ベクトルと最初に交わる部材の情報を抽出することを特徴とする請求項２又は３に記載の設計支援プログラム。
【請求項５】
前記部材認識手順において、前記抽出領域内にあり且つ前記法線ベクトルと最初に交わる両条件を同時に満たす部材の情報を抽出することを特徴とする請求項４に記載の設計支援プログラム。
【請求項６】
前記部材認識手順により抽出された部材は、該抽出された部材以外の部材と区別され、ハイライト表示することを特徴とする請求項３〜５のいずれか１項に記載の設計支援プログラム。
【請求項７】
シート状の記録媒体が搬送経路内を搬送されていく挙動をシミュレーションすることで、前記搬送経路の設計を支援する設計支援方法であって、
コンピュータ援用設計で作成した２次元断面モデルを読み込む断面形状入力手順と、
前記記録媒体が通過する軌跡情報を保持する媒体軌跡情報保持手順と、
前記記録媒体の軌跡近傍の部材を認識する部材認識手順と、
認識された前記部材以外を接触計算対象から外した新たなシミュレーションモデルを作成する搬送経路モデル作成手順と、を有する設計支援方法。
【手続補正２】
【補正対象書類名】明細書
【補正対象項目名】００１１
【補正方法】変更
【補正の内容】
【００１１】
上記課題を解決するために本発明による設計支援プログラムは、シート状の記録媒体が搬送経路内を搬送されていく挙動をシミュレーションすることで、前記搬送経路の設計を支援する設計支援プログラムであって、コンピュータ援用設計で作成した２次元断面モデルを読み込む断面形状入力手順と、前記記録媒体が通過する軌跡情報を保持する媒体軌跡情報保持手順と、前記記録媒体の軌跡近傍の部材を認識する部材認識手順と、認識された前記部材以外を接触計算対象から外した新たなシミュレーションモデルを作成する搬送経路モデル作成手順とを、コンピュータに実行させる。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
印刷アプリケーションから受信した順番で印刷データを記憶領域に保持し、保持された印刷データのうち、受信した順番が先頭の印刷データから印刷装置に送信する印刷制御装置において、
前記記憶領域で受信した順番が先頭の印刷データに課金コードが設定されている場合、当該印刷データを印刷装置に送信し、前記記憶領域で受信した順番が先頭の印刷データの課金コードが設定されていない場合、当該印刷データより前記記憶領域で受信した順番が後続となる印刷データが先頭になるように印刷データの順番を制御する制御手段と、
前記印刷アプリケーションから受信した印刷データの一覧を表示するための表示制御手段と、
前記表示制御手段により表示された印刷データの一覧から、ユーザの入力に応じて、少なくとも１つ以上の印刷データを選択し、当該選択された印刷データに対して課金コードを設定する設定手段とを備えることを特徴とする印刷制御装置。
【請求項２】
複数の装置からログを収集するログ収集サーバに対して、少なくとも課金コードを含む前記印刷データに関連する情報をログとして送信する送信手段を備えることを特徴とする請求項１記載の印刷制御装置。
【請求項３】
前記設定手段により課金コードが設定された印刷データを優先して処理させるために、前記設定手段により課金コードが設定された印刷データの処理の優先度を高く設定する優先度設定手段とを備えることを特徴とする請求項１または請求項２に記載の印刷制御装置。
【請求項４】
前記記憶領域に保持された課金コードが設定されていない印刷データの記憶領域に保持されていた時間が閾値を超えると、当該印刷データを削除する削除手段を備えることを特徴とする請求項１乃至請求項３のいずれか１項に記載の印刷制御装置。
【請求項５】
前記印刷装置が備える第２の記憶領域に保持される印刷データの情報を受信する受信手段と、
前記表示制御手段は、前記受信手段で受信した情報を用いて、前記印刷装置が備える第２の記憶領域に保持される印刷データの一覧を表示することを特徴とする請求項１乃至請求項４のいずれか１項に記載の印刷制御装置。
【請求項６】
記憶領域を備えるクライアント装置における、受信した順番で印刷データを前記記憶領域に保持し、保持された印刷データのうち、受信した順番が先頭の印刷データから印刷装置に送信するための印刷制御方法であって、
前記記憶領域で受信した順番が先頭の印刷データに課金コードが設定されている場合、当該印刷データを前記印刷装置に送信し、前記記憶領域で受信した順番が先頭の印刷データの課金コードが設定されていない場合、当該印刷データより前記記憶領域で受信した順番が後続となる印刷データが先頭になるように印刷データの順番を制御する制御工程と、
前記受信した印刷データの一覧を表示するための表示制御工程と、
前記表示制御工程により表示された印刷データの一覧から、ユーザの入力に応じて、印刷データを選択し、当該選択された印刷データに対して課金コードを設定する設定工程とを備えることを特徴とする印刷制御方法。
【請求項７】
前記設定工程により課金コードが設定された印刷データを優先して処理させるために、前記設定工程により課金コードが設定された印刷データの処理の優先度を高く設定する優先度設定工程とを備えることを特徴とする請求項６に記載の印刷制御方法。
【請求項８】
前記記憶領域に保持された課金コードが設定されていない印刷データの記憶領域に保持されていた時間が閾値を超えると、当該印刷データを削除する削除工程を備えることを特徴とする請求項６または請求項７に記載の印刷制御方法。
【請求項９】
請求項６乃至請求項８のいずれか１項に記載の工程をコンピュータに実行させるためのプログラム。
【請求項１０】
ユーザによる印刷の指示に際して、印刷データに対して課金コードが設定可能なクライアント装置における印刷制御方法であって、
印刷アプリケーションから受信した印刷データを印刷装置に送信する前に一時的に記憶する記憶工程と、
前記記憶工程において記憶した印刷データを印刷装置に送信する送信工程と、
前記記憶工程において記憶した印刷データに課金コードが設定されているか否かを判断する判断工程とを備え、
前記送信工程は、前記判断工程により前記印刷データに課金コードが設定されていないと判断された場合、当該印刷データを印刷装置に送信せず、前記判断工程により前記印刷データに課金コードが設定されていると判断された場合、当該印刷データを印刷装置に送信することを特徴とする印刷制御方法。
【請求項１１】
請求項１０に記載の工程をコンピュータに実行させるためのプログラム。
【手続補正２】
【補正対象書類名】明細書
【補正対象項目名】０００８
【補正方法】変更
【補正の内容】
【０００８】
上記課題を解決するために本発明は、印刷アプリケーションから受信した順番で印刷データを記憶領域に保持し、保持された印刷データのうち、受信した順番が先頭の印刷データから印刷装置に送信する印刷制御装置において、前記記憶領域で受信した順番が先頭の印刷データに課金コードが設定されている場合、当該印刷データを印刷装置に送信し、前記記憶領域で受信した順番が先頭の印刷データの課金コードが設定されていない場合、当該印刷データより前記記憶領域で受信した順番が後続となる印刷データが先頭になるように印刷データの順番を制御する制御手段と、前記印刷アプリケーションから受信した印刷データの一覧を表示するための表示制御手段と、前記表示制御手段により表示された印刷データの一覧から、ユーザの入力に応じて、少なくとも１つ以上の印刷データを選択し、当該選択された印刷データに対して課金コードを設定する設定手段とを備えることを特徴とする。
【手続補正書】
【提出日】平成22年3月30日(2010.3.30)
【手続補正１】
【補正対象書類名】特許請求の範囲
【補正対象項目名】全文
【補正方法】変更
【補正の内容】
【特許請求の範囲】
【請求項１】
スキャナ部を有する本体先端部が背面側に傾斜してスキャナ部からの照射光が斜め下方向に照射され、本体後端部が正面側に傾斜し、この本体後端部の背面が把持した手の形状に対応する半卵形状の凸部を形成した筐体と、
前記筐体の前記凸部に設けられ、指を掛けるための凹部と、    
前記凹部の位置に対応して前記筐体の正面に設けられる操作キー部と、
を備えるスキャナ装置。
【請求項２】
前記筐体の背面の前記凹部は、指を掛けるための第１及び第２の凹部を備える請求項１に記載のスキャナ装置。
【請求項３】
前記操作キー部は、複数の操作キーを有し、当該複数の操作キーが本体後端部の傾斜に沿って階段状に配列される請求項１に記載のスキャナ装置。
【手続補正２】
【補正対象書類名】明細書
【補正対象項目名】発明の名称
【補正方法】変更
【補正の内容】
【発明の名称】スキャナ装置
【手続補正３】
【補正対象書類名】明細書
【補正対象項目名】０００１
【補正方法】変更
【補正の内容】
【０００１】
本発明は、バーコードを光学的に読み取るスキャナ装置に関する。
【手続補正４】
【補正対象書類名】明細書
【補正対象項目名】０００２
【補正方法】変更
【補正の内容】
【０００２】
従来、商品に付されるバーコードを光学的に読み取ったり、各種情報をキー入力可能な店舗支援用のスキャナ装置としてのハンディターミナルが広く使われている。
【手続補正５】
【補正対象書類名】明細書
【補正対象項目名】０００６
【補正方法】変更
【補正の内容】
【０００６】
上記課題を解決するために、請求項１に記載の発明のスキャナ装置は、スキャナ部を有する本体先端部が背面側に傾斜してスキャナ部からの照射光が斜め下方向に照射され、本体後端部が正面側に傾斜し、この本体後端部の背面が把持した手の形状に対応する半卵形状の凸部を形成した筐体と、前記筐体の前記凸部に設けられ、指を掛けるための凹部と、前記凹部の位置に対応して前記筐体の正面に設けられる操作キー部と、を備える。
【手続補正６】
【補正対象書類名】明細書
【補正対象項目名】０００７
【補正方法】変更
【補正の内容】
【０００７】
請求項２に記載の発明は、請求項１に記載のスキャナ装置において、前記筐体の背面の前記凹部は、指を掛けるための第１及び第２の凹部を備える。
【手続補正７】
【補正対象書類名】明細書
【補正対象項目名】０００８
【補正方法】変更
【補正の内容】
【０００８】
請求項３に記載の発明は、請求項２に記載のスキャナ装置において、前記操作キー部は、複数の操作キーを有し、当該複数の操作キーが本体後端部の傾斜に沿って階段状に配列される。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】変更
【補正の内容】
【００１４】
本発明にれば、本体後端部の背面が把持した手の形状に対応する半卵形状の凸部を形成し、この凸部に設けられた凹部に指を引っ掛けてスキャナ装置を安定して把持でき、更に、本体先端部が背面側に傾斜し本体後端部が正面側に傾斜した筐体であるので、把持した手が視界を妨げることなく、スキャナ部から照射される照射光の狙をつけやすくなり、操作性が向上するスキャナ装置を提供できる。
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
物体側から順に、正の屈折力の第１レンズ群、負の屈折力の第２レンズ群、及び該第２レンズ群より像側に位置し合成屈折力が正の後群からなるズームレンズ系において、
前記正の後群は、物体側から順に、正の第３レンズ群、負の第４レンズ群及び正の第５レンズ群からなり、
次の条件式（１）及び（２）を満足することを特徴とするズームレンズ系。
（１）５．０＜ｆ１／ｆｗ＜６．５
（２）０．４＜ｆＲｔ／ｆｔ＜０．５５
但し、
ｆ１：第１レンズ群の焦点距離、
ｆｗ：短焦点距離端における全系の焦点距離、
ｆＲｔ：長焦点距離端における正の後群の合成焦点距離、
ｆｔ：長焦点距離端における全系の焦点距離。
【請求項２】
請求項１記載のズームレンズ系において、次の条件式（３）を満足するズームレンズ系。
（３）２．７＜ｆ４／ｆ２＜４．５
但し、
ｆｉ：第ｉレンズ群の焦点距離（ｉ＝２、４）。
【請求項３】
請求項１または２記載のズームレンズ系において、次の条件式（４）を満足するズームレンズ系。
（４）２．０＜ｆＢｗ／｜ｆ１２ｗ｜＜２．５
但し、
ｆＢｗ：短焦点距離端におけるバックフォーカス、
ｆ１２ｗ：短焦点距離端における第１レンズ群と第２レンズ群の合成焦点距離（ｆ１２ｗ ＜０）。
【請求項４】
請求項１ないし３のいずれか１項記載のズームレンズ系において、第２レンズ群は、物体側から順に、負、負、負、正、負、正の屈折力の６枚のレンズからなっているズームレンズ系。
【請求項５】
請求項１ないし４のいずれか１項記載のズームレンズ系において、正の後群は、物体側から順に、正の第３レンズ群、負の第４レンズ群及び正の第５レンズ群からなり、第５レンズ群は、少なくとも１枚の非球面を有するレンズを含んでいるズームレンズ系。
【請求項６】
請求項１ないし５のいずれか１項記載のズームレンズ系において、正の後群は、物体側から順に、正の第３レンズ群、負の第４レンズ群及び正の第５レンズ群からなり、変倍に際し、第３レンズ群と第５レンズ群が一体に移動するズームレンズ系。
【手続補正２】
【補正対象書類名】明細書
【補正対象項目名】０００５
【補正方法】変更
【補正の内容】
【０００５】
物体側から順に、正の屈折力の第１レンズ群、負の屈折力の第２レンズ群、及び該第２レンズ群より像側に位置し合成屈折力が正の後群からなるズームレンズ系において、
前記正の後群は、物体側から順に、正の第３レンズ群、負の第４レンズ群及び正の第５レンズ群からなり、
次の条件式（１）及び（２）を満足することを特徴とするズームレンズ系。
（１）５．０＜ｆ１／ｆｗ＜６．５
（２）０．４＜ｆＲｔ／ｆｔ＜０．５５
但し、
ｆ１：第１レンズ群の焦点距離、
ｆｗ：短焦点距離端における全系の焦点距離、
ｆＲｔ：長焦点距離端における正の後群の合成焦点距離、
ｆｔ：長焦点距離端における全系の焦点距離。
【手続補正３】
【補正対象書類名】明細書
【補正対象項目名】０００６
【補正方法】削除
【補正の内容】
【手続補正書】
【提出日】平成22年6月28日(2010.6.28)
【手続補正１】
【補正対象書類名】特許請求の範囲
【補正対象項目名】請求項７
【補正方法】変更
【補正の内容】
【請求項７】
排他状態を設定している共有文書に対して排他状態の解除が実施された場合に、当該共有文書に対して予約されている全てのチェックアウト開始日時の中で、前記チェックイン予定日時に最も近い後続の予約のチェックアウト開始日時を、排他状態の解除が実施された直後の日時に変更するチェックアウト開始日時変更手段を更に有することを特徴とする請求項２乃至６のいずれか１項に記載の文書管理装置。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
外部または内部に配置される電源から電力の供給を受ける情報処理装置本体と、
外部装置を着脱自在に構成されており、前記情報処理装置本体と前記外部装置との間で信号を送受するための少なくとも１つの信号用端子と、前記電源から前記外部装置に電力を供給するための少なくとも１つの電力用端子とを有する１つまたは複数の接続コネクタと、
前記電源と前記電力用端子との間に設けられたスイッチを有し、当該スイッチを接続状態または非接続状態のいずれか一方に切り換え可能である電力供給状態切換部と、
前記電力供給状態切換部の制御方法に関してユーザにより設定されたユーザ設定情報を有し、前記情報処理装置本体の非稼動時に前記ユーザ設定情報に従って前記スイッチを接続状態または非接続状態のいずれか一方に切り換える制御を行う電力供給状態制御部と、
を備えることを特徴とする情報処理装置。
【請求項２】
前記電力供給状態制御部は、前記ユーザ設定情報として前記電源から電力の供給を受ける状態または受けない状態を選択する情報を格納しており、前記ユーザ設定情報により選択された状態となるように前記スイッチを切り換える制御を行うことを特徴とする請求項１に記載の情報処理装置。
【請求項３】
前記電力供給状態制御部は、前記ユーザ設定情報として複数の前記電源から選択された電源を特定する情報を格納しており、前記ユーザ設定情報により選択された前記電源から電力の供給を受けるように前記スイッチを切り換える制御を行うことを特徴とする請求項１または２に記載の情報処理装置。
【請求項４】
前記電力供給状態制御部は、前記ユーザ設定情報として前記外部装置に電力を供給する前記電源が充電池の場合は充電残容量の設定値の情報を格納しており、前記電源の充電残容量が前記設定値を上回る場合には、前記電源から電力の供給を受けるように前記スイッチを切り換える制御を行い、前記電源の充電残容量が前記設定値を下回る場合には、前記電源から電力の供給を受けないように前記スイッチを切り換える制御を行うことを特徴とする請求項１〜３のいずれか１項に記載の情報処理装置。
【請求項５】
前記外部装置との間の信号送受用の通信ラインの制御方法に関してユーザにより設定されたユーザ設定情報を有し、前記情報処理装置本体の非稼動時に前記ユーザ設定情報に従って通信ラインの制御を行う外部装置制御部をさらに備えることを特徴とする請求項１〜４のいずれか１項に記載の情報処理装置。
【請求項６】
前記外部装置制御部は、前記ユーザ設定情報としてウェイクアップ機能の有効状態または無効状態のいずれか一方を選択する情報を格納しており、前記ウェイクアップ機能が前記ユーザ設定情報により選択された状態となるように制御を行うことを特徴とする請求項５に記載の情報処理装置。
【請求項７】
前記外部装置制御部は、前記ユーザ設定情報として前記通信ラインの電位レベルを選択する情報を格納しており、前記ユーザ設定情報により選択された電位レベルとなるように前記通信ラインを制御することを特徴とする請求項５に記載の情報処理装置。
【請求項８】
前記電力供給状態制御部または前記外部装置制御部の少なくとも一方は、前記接続コネクタごとに、または、複数個の前記接続コネクタからなる一組ごとに、前記ユーザ設定情報を格納することを特徴とする請求項１〜７のいずれか１項に記載の情報処理装置。
【請求項９】
外部の電源または本体内部に配置されるバッテリのいずれかを電源として駆動する情報処理装置であって、
前記情報処理装置と外部装置との間で信号を送受するための信号用端子と、前記電源から前記外部装置に電力を供給するための電力用端子とを有するコネクタと、
前記情報処理装置の非稼動時に前記コネクタに接続された外部装置に対する電力供給制御に関する設定情報を格納するメモリと、
前記メモリに格納された設定情報に従って、前記情報処理装置の非稼動時に前記コネクタに接続された外部装置に対して前記電源から電力を供給するよう制御するコントローラと、
を備えることを特徴とする情報処理装置。
【請求項１０】
前記メモリは、前記情報処理装置の非稼動時に前記コネクタに接続された外部装置に対して、前記電源から電力を供給するか否かを設定するための第１の設定情報を格納することを特徴とする請求項９に記載の情報処理装置。
【請求項１１】
前記メモリは、前記情報処理装置の非稼動時に前記コネクタに接続された外部装置に対して、前記外部の電源と前記本体内部に配置されるバッテリとのいずれの電源から電力を供給するかを選択するための第２の設定情報を格納することを特徴とする請求項１０に記載の情報処理装置。
【請求項１２】
前記メモリは、前記情報処理装置の非稼動時に前記コネクタに接続された外部装置に対して、前記本体内部に配置されるバッテリから電力を供給する場合に、バッテリの充電残容量の最小値を設定するための第３の設定情報を格納することを特徴とする請求項１１に記載の情報処理装置。
【請求項１３】
外部の電源または本体内部に配置されるバッテリのいずれかを電源として駆動する情報処理装置であって、
前記情報処理装置の本体と外部装置との間で信号を送受するための信号用端子と、前記電源から前記外部装置に電力を供給するための電力用端子とを有するコネクタと、
前記情報処理装置の非稼動時に前記コネクタに接続された外部装置に対する電力供給制御に関する設定情報を設定する手段と、
設定手段により設定された設定情報に従って、前記情報処理装置の非稼動時に前記コネクタに接続された外部装置に対して前記電源から電力を供給するよう制御する制御手段と、を備えることを特徴とする情報処理装置。
【請求項１４】
前記設定手段は、前記情報処理装置の非稼動時に前記コネクタに接続された外部装置に対して、前記電源から電力を供給するか否かを設定するための第１の設定情報を設定可能であることを特徴とする請求項１３に記載の情報処理装置。
【請求項１５】
前記設定手段は、前記情報処理装置の非稼動時に前記コネクタに接続された外部装置に対して、前記外部の電源と前記本体内部に配置されるバッテリとのいずれの電源から電力を供給するかを選択するための第２の設定情報を設定可能であることを特徴とする請求項１４に記載の情報処理装置。
【請求項１６】
前記設定手段は、前記情報処理装置の非稼動時に前記コネクタに接続された外部装置に対して、前記本体内部に配置されるバッテリから電力を供給する場合に、バッテリの充電残容量の最小値を設定するための第３の設定情報を設定可能であることを特徴とする請求項１５に記載の情報処理装置。